(57)【特許請求の範囲】
【請求項１】
本体と、光源ユニットと、電池ユニットと、点灯ユニットとを備え、
前記本体は、前面が開口した有底筒状に形成され、
前記光源ユニットは、光源モジュールと、前記光源モジュールと熱的に結合される放熱部材とを有し、
前記電池ユニットは、電池と、前記電池を収容する電池ケースとを有し、
前記点灯ユニットは、前記電池から供給される電力で前記光源モジュールを点灯させる点灯装置と、前記点灯装置を収容する筐体とを有し、
前記放熱部材は、前記光源モジュールと熱結合される結合部と、前記本体に固定される固定部とを有し、
前記筐体は、前記本体内に収容された状態で前記本体に固定されるように構成され、
前記電池ケースは、前記開口を通して前記本体内に抜き差し可能に挿入され、かつ、前記本体内に収容された状態で前記筐体に結合して抜け止めされる抜け止め部を有し、
前記本体は、前記放熱部材の前記固定部が固定される被固定部を有し、前記被固定部は、前記電池ケースが前記本体内に抜き差しされる際に前記電池ケースと接触しない場所に設けられていることを特徴とする非常用照明装置。
【請求項２】
前記本体及び前記被固定部が金属材料で構成されており、前記被固定部に前記固定部が固定されることで前記放熱部材と前記本体とが熱的に結合されるように構成されることを特徴とする請求項１記載の非常用照明装置。
【請求項３】
前記被固定部は、前記本体の側面に設けられていることを特徴とする請求項１又は２記載の非常用照明装置。
【請求項４】
前記被固定部は、前記本体の前端又は前記前端の近傍から内側に突出し、かつ、前記筐体の前面に配置されていることを特徴とする請求項１又は２記載の非常用照明装置。
【請求項５】
前記筐体の前面に、前記固定部を位置決めする位置決め構造が設けられることを特徴とする請求項４記載の非常用照明装置。
【請求項６】
前記位置決め構造は、１つ又は複数の突起と、前記突起が嵌まる１つ又は複数の凹部又は孔とで構成されることを特徴とする請求項５記載の非常用照明装置。
【請求項７】
前記本体内には、前記筐体と前記放熱部材と前記電池ケースに囲まれた空間が形成されており、電力系統から前記点灯ユニットに給電するための電線が前記空間に配置されていることを特徴とする請求項１〜６の何れか１項に記載の非常用照明装置。
【発明の詳細な説明】
【技術分野】
【０００１】
本発明は、非常用照明装置に関し、より詳細には電力系統の停電時に電池から供給される電力で非常用照明を行う非常用照明装置に関する。
【背景技術】
【０００２】
従来例として、特許文献１記載の照明装置（非常灯）を例示する。特許文献１記載の照明装置（以下、従来例という）は、本体と、本体内に収容されるユニット部と、本体内に収容される二次電池と、化粧枠とを備えている。本体は、例えばアルミニウムなどの金属により、化粧枠に覆われる開口を下端部に備えた略有蓋円筒状に形成されている。ユニット部は、合成樹脂製の筐体と、光源と、レンズと、点灯ユニットとを有し、筐体内に点灯ユニットを収容し、筐体下面の取付面部に光源とレンズが取り付けられて構成される。光源は、発光ダイオードが基板に実装されて構成される。ユニット部は、本体内に収容され、かつ、本体に固着される。二次電池は、電池筐体内に複数の電池が収容されて構成され、開口を通して本体内に収容される。ただし、ユニット部と二次電池とは、上下方向に互いに重ならない位置で本体内に収容される。つまり、二次電池の交換の際、作業者は、化粧枠を本体から外した状態で二次電池のみを本体の開口から抜き出すことができる。
【０００３】
なお、この従来例において、点灯した光源から放射される熱は、筐体の取付面部に伝導され、筐体および本体を介して放熱される。
【先行技術文献】
【特許文献】
【０００４】
【特許文献１】特開２０１５−６５０７６号公報
【発明の概要】
【発明が解決しようとする課題】
【０００５】
ところで、特許文献１記載の従来例のように、発光ダイオードが実装されている基板からユニット部の筐体に熱を伝導する構成では十分ではなく、放熱性の更なる向上が望まれている。
【０００６】
本発明の目的は、電池ユニットの交換時の作業性を低下させずに放熱性の向上を図ることができる非常用照明装置を提供することである。
【課題を解決するための手段】
【０００７】
本発明の一態様に係る非常用照明装置は、本体と、光源ユニットと、電池ユニットと、点灯ユニットとを備える。前記本体は、前面が開口した有底筒状に形成されている。前記光源ユニットは、光源モジュールと、前記光源モジュールと熱的に結合される放熱部材とを有する。前記電池ユニットは、電池と、前記電池を収容する電池ケースとを有する。前記点灯ユニットは、前記電池から供給される電力で前記光源モジュールを点灯させる点灯装置と、前記点灯装置を収容する筐体とを有する。前記放熱部材は、前記光源モジュールと熱結合される結合部と、前記本体に固定される固定部とを有する。前記筐体は、前記本体内に収容された状態で前記本体に固定されるように構成されている。前記電池ケースは、前記開口を通して前記本体内に抜き差し可能に挿入され、かつ、前記本体内に収容された状態で前記筐体に結合して抜け止めされる抜け止め部を有する。前記本体は、前記放熱部材の前記固定部が固定される被固定部を有する。前記被固定部は、前記電池ケースが前記本体内に抜き差しされる際に前記電池ケースと接触しない場所に設けられている。
【発明の効果】
【０００８】
本発明の一態様に係る非常用照明装置は、電池ユニットの交換時の作業性を低下させずに放熱性の向上を図ることができるという効果がある。
【図面の簡単な説明】
【０００９】
【図１】図１は、本発明の実施形態１に係る非常用照明装置の分解斜視図である。
【図２】図２Ａは、同上の非常用照明装置の背面図である。図２Ｂは、同上の非常用照明装置の正面図である。図２Ｃは、同上の非常用照明装置の平面図である。
【図３】図３は、同上の非常用照明装置を示し、カバーを取り外した状態の正面図である。
【図４】図４は、同上の非常用照明装置の要部の断面図である。
【図５】図５は、同上の非常用照明装置における点灯装置の回路ブロック図である。
【図６】図６は、同上の非常用照明装置における光源ユニットの斜視図である。
【図７】図７は、同上の非常用照明装置における光源ユニットの分解斜視図である。
【図８】図８Ａは、同上の非常用照明装置における光源ユニットの正面図である。図８Ｂは、同上の非常用照明装置における光源ユニットの左側面図である。図８Ｃは、同上の非常用照明装置における光源ユニットの右側面図である。図８Ｄは、同上の非常用照明装置における光源ユニットの平面図である。図８Ｅは、同上の非常用照明装置における光源ユニットの背面図である。
【図９】図９は、同上の非常用照明装置における光源ユニットの縦断面図である。
【図１０】図１０は、本発明の実施形態２に係る非常用照明装置の斜視図である。
【図１１】図１１は、同上の非常用照明装置を示し、カバーを取り外した状態の正面図である。
【図１２】図１２は、本発明の実施形態３に係る非常用照明装置の分解斜視図である。
【図１３】図１３は、同上の非常用照明装置を示し、カバーを取り外した状態の正面図である。
【図１４】図１４は、本発明の実施形態４に係る非常用照明装置の斜視図である。
【図１５】図１５は、同上の非常用照明装置の断面図である。
【図１６】図１６は、同上の非常用照明装置における光源ユニット及び点灯ユニットの斜視図である。
【発明を実施するための形態】
【００１０】
以下、本発明の実施形態に係る非常用照明装置について、図面を参照して詳細に説明する。実施形態に係る非常用照明装置は、電池内蔵型の非常灯（非常用照明器具）として構成されている。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
本発明の実施形態１に係る非常用照明装置Ｘ１（以下、非常用照明装置Ｘ１と略す）は、図１に示すように、本体１と、光源ユニット２と、電池ユニット３と、点灯ユニット４とを備える。非常用照明装置Ｘ１は、建物の通路や廊下などの天井に埋込配設される。さらに、非常用照明装置Ｘ１は、カバー５、支持具６、取付ばね７などを備えることが好ましい。ただし、以下の非常用照明装置Ｘ１の説明では、図１において上下、左右、前後の各方向を規定する。
【００１２】
本体１は、下面が開口した有底筒状に形成される。また、本体１は、左右両側に平坦な壁（平坦壁）を有し、それらの平坦壁を除く周面が円筒面となるように構成されている。さらに、本体１の下端縁には、外向きに突出する円環状のフランジ１０が形成されている（図１及び図３参照）。なお、本体１は、本体１の下端の近傍における左前方の位置から内側に突出する被固定部１２を有することが好ましい。この被固定部１２は矩形の平板状に形成され、先端の近傍にねじ挿通孔１２０が設けられることが好ましい（図１及び図３参照）。ここで、被固定部１２は、本体１を下から見たときに、電池ユニット３の電池ケース３１と重ならない場所に設けられている（図３参照）。
【００１３】
本体１の左右両側の平坦壁には、それぞれ支持具６が１つずつ取り付けられている（図２Ａ及び図２Ｃ参照）。これら一対の支持具６は、長尺の板ばね状に形成されることが好ましい。それぞれの支持具６は、長手方向の一端部で本体１の平坦壁に固定され、かつ、長手方向の他端部が本体１の底板１１に近付く向き（上向き）に撓み可能に構成されている。つまり、本体１は、埋込孔内に挿入される一対の支持具６と、本体１の下端面に設けられるフランジ１０との間で天井材を挟み込むようにして天井材に支持される。
【００１４】
カバー５は、本体１のフランジ１０の外径よりも大きい円盤状に形成され、中央に円形の窓孔５０が設けられている（図１及び図２Ｂ参照）。この窓孔５０には、後述するように光源ユニット２のレンズ部２２０が挿通される。カバー５は、本体１の前面の開口を開放可能に塞ぐように構成されている。カバー５の上面における前端及び後端には、それぞれ取付ばね７が取り付けられている。これら一対の取付ばね７は、本体１の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、本体１の下面を閉塞する状態で本体１に保持される（図２Ｃ参照）。
【００１５】
電池ユニット３は、複数本の電池３０と、これら複数本の電池３０を収容する電池ケース３１とを有する（図１及び図３参照）。電池３０は、例えば、円筒形のニッカド電池、あるいは、円筒形のニッケル水素電池などの２次電池が好ましい。電池ケース３１は、上下両側の底面が馬蹄形（Ｕ字形）である筒状に形成されることが好ましい。複数本の電池３０は、軸方向を上下方向とし、径方向に沿って一列に並ぶように電池ケース３１内に収容されることが好ましい。
【００１６】
電池ケース３１の下側の前端部には、点灯ユニット４と電気的に接続されるコネクタ部３２が設けられている（図１参照）。コネクタ部３２は、一対のコンタクトと、これら一対のコンタクトを電気的に絶縁した状態で支持するコネクタハウジング３２０とを有する。片方のコンタクトは、電池ケース３１内で電気的に直列接続されている複数本の電池３０のうちの一方の端の電池３０の正極と電気的に接続される。もう片方のコンタクトは、他方の端の電池３０の負極と電気的に接続される。
【００１７】
また、電池ケース３１の下側の後端部には、抜け止め部３３が設けられている（図１参照）。抜け止め部３３は、上端が電池ケース３１に固定されて左右方向に撓み可能に構成されるばね片３３０と、ばね片３３０の下端寄りの左側面に設けられる突起３３１とを有する。突起３３１は、下に向かってばね片３３０から離れる向きに傾斜する斜面を有した三角柱状に形成されることが好ましい（図４参照）。
【００１８】
点灯ユニット４は、点灯装置４０と、点灯装置４０を収容する筐体４１とを有する。点灯装置４０の回路ブロック図を図５に示す。点灯装置４０は、直流電源回路４００、充電回路４０１、点灯回路４０２、停電検出回路４０３、制御回路４０４、モニタランプ４０５、押釦スイッチ４０６、受信部４０７などを備えることが好ましい。
【００１９】
直流電源回路４００は、例えば、リンギングチョークコンバータなどの自励型のスイッチング電源回路で構成されることが好ましい。直流電源回路４００は、外部電源（例えば、商用の電力系統）Ｗから供給される交流電圧を、当該交流電圧の実効値よりも低い直流電圧に変換する。充電回路４０１は、外部電源Ｗから給電されているときに動作し、直流電源回路４００から電池ユニット３へ一定の充電電流を流すように構成されることが好ましい。点灯回路４０２は、電池ユニット３から供給される直流電流を定電流化して光源ユニット２に供給するように構成されることが好ましい。停電検出回路４０３は、直流電源回路４００の出力電圧から外部電源Ｗの停電を検出して制御回路４０４に通知するように構成される。モニタランプ４０５は、例えば、緑色光を放射する発光ダイオードで構成され、充電回路４０１から電池ユニット３に供給される充電電流によって発光させられることが好ましい。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検とは、法令で定められた期間ごとに実施され、点灯回路４０２を強制的に動作させて光源ユニット２が規定の時間以上、点灯状態を維持することを確認することを目的とする。
【００２０】
制御回路４０４は、停電検出回路４０３が停電を検出していないとき、充電回路４０１を動作させ、かつ、点灯回路４０２を停止させるように構成される。また、制御回路４０４は、停電検出回路４０３が停電を検出しているとき、充電回路４０１を停止させ、かつ、点灯回路４０２を動作させるように構成される。さらに、制御回路４０４は、一方の押釦スイッチ４０６Ｂが押操作された場合、あるいは、受信部４０７から送信フレームを受け取った場合、充電回路４０１を停止させ、かつ、点灯回路４０２を動作させて定期点検動作を行うように構成される。ただし、制御回路４０４は、他方の押釦スイッチ４０６Ａが押操作された場合は、点灯回路４０２を数秒間動作させた後、再度、点灯回路４０２を停止させ、かつ、充電回路４０１を動作させるように構成されることが好ましい。
【００２１】
点灯装置４０は、プリント配線板からなる回路基板の第１面に実装される種々の電子部品と、回路基板の第２面（第１面の裏面）に形成される導体とで直流電源回路４００から制御回路４０４までの各回路を実現するように構成される。なお、モニタランプ４０５、及び２つの押釦スイッチ４０６Ａ、４０６Ｂは、いずれも回路基板の第１面における下端近くに実装されることが好ましい（図３参照）。
【００２２】
点灯ユニット４の筐体４１は、上下両側の底面が六角形である筒状に形成されることが好ましい。ただし、筐体４１の２つの底面は、１つの辺（第１辺）が対向する他の１つの辺（第２辺）よりも長く、かつ、第１辺の両側の２つの辺（第３辺及び第４辺）が平行となる六角形に形成されることが好ましい（図３参照）。筐体４１の下面には、３つの開口部４１０Ａ、４１０Ｂ、４１０Ｃが前後方向に一列に並ぶように設けられている。前端の開口部４１０Ａの奥には、電池ユニット３のコネクタ部３２と前後方向に挿抜可能に接続される受け側のコネクタが配置されている。また、中央の開口部４１０Ｂの奥には、後述する光源ユニット２のプラグコネクタ２６と前後方向に挿抜可能に接続されるレセプタクルコネクタ４０８が配置されている（図１参照）。さらに、後端の開口部４１０Ｃの奥には、モニタランプ４０５、２つの押釦スイッチ４０６Ａ、４０６Ｂ、受信部４０７及び２つの操作部材４２が配置されている。これら２つの操作部材４２は、上下方向に移動可能に設けられており、上向きに移動する際に、それぞれ押釦スイッチ４０６Ａ、４０６Ｂの押釦を押操作するように構成されることが好ましい。また、筐体４１は、速結式の端子台４３を保持するように構成されることが好ましい（図２Ｃ参照）。
【００２３】
点灯ユニット４は、図１及び図３に示すように、筐体４１の上面及び下面の第２辺を平坦壁に沿わせるようにして、本体１内に収容される。そして、点灯ユニット４は、筐体４１の上面が本体１の底板１１に設けられた固定片１１０にねじ止めされることによって、本体１に固定される（図２Ａ参照）。ただし、筐体４１に保持された端子台４３は、図２Ｃに示すように、本体１の底板１１に設けられる段差部１１１の孔１１１０を通して、差込口４３０を本体１の外に露出させることが好ましい。つまり、これらの差込口４３０に電源線の導体が差し込まれることにより、端子台４３を介して外部電源（電力系統）Ｗと点灯装置４０とが電気的に接続される。
【００２４】
続いて、光源ユニット２について、図６〜図９を参照して説明する。ただし、以下の光源ユニット２の説明では、図７において上下、左右、前後の各方向を規定する。
【００２５】
光源ユニット２は、ＬＥＤモジュール（光源モジュール）２０、放熱部材２１、レンズブロック２２、取付部材２３、押さえ部材２４、熱伝導シート２５並びにプラグコネクタ２６などを備えることが好ましい。ＬＥＤモジュール２０は、実装基板２００と、１個又は複数個のＬＥＤチップ（固体発光素子）とを有する。実装基板２００は、矩形平板状に形成されている。１個又は複数個のＬＥＤチップは、実装基板２００の上面中央に実装されている。これらのＬＥＤチップは、例えば、青色光を放射する青色発光ダイオードであることが好ましい。また、ＬＥＤチップを含む実装基板２００の上面は、ＬＥＤチップから放射される青色光を波長変換する蛍光物質が混入された封止樹脂２０１で円盤状に被われる。さらに、実装基板２００の対角の位置にある一対の角部の上面には、カソード電極２０２とアノード電極２０３が形成されている（図７参照）。なお、ＬＥＤモジュール２０は、アノード電極２０３とカソード電極２０２に直流電圧が印加されることにより、白色の照明光を放射するように構成される。
【００２６】
熱伝導シート２５は、高熱伝導率、電気絶縁性及び難燃性を有するシリコーン樹脂製のシート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００２７】
押さえ部材２４は、例えば、ポリカーボネート樹脂などの合成樹脂材料によって、円盤状に形成されることが好ましい（図７参照）。押さえ部材２４は、中央に矩形の孔２４０を有する。また、押さえ部材２４の上面における孔２４０の周囲に凹所２４１が設けられている。さらに、押さえ部材２４の上面において、孔２４０の対角の位置に、上下方向から見てＬ字形の押さえ突起２４２がそれぞれ形成されている。また、押さえ部材２４は、角筒状のコネクタ保持部２４３を有する。このコネクタ保持部２４３は、プラグコネクタ２６を内側に収容して保持するように構成される（図８Ｅ参照）。
【００２８】
プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極２０２と電気的に接続される。もう片方のコンタクトは、別の電線を介してＬＥＤモジュール２０のアノード電極２０３と電気的に接続される。
【００２９】
レンズブロック２２は、例えば、ガラス製であって、概ね円錐台形状のレンズ部２２０と、レンズ部２２０の周縁から外向きに突出する円環状の外鍔部２２１とを有することが好ましい（図７参照）。レンズ部２２０は、図９に示すように、概ね回転放物面形状の入射面２２００が形成されている。レンズ部２２０は、入射面２２００に入射する光（ＬＥＤモジュール２０から放射される照明光）の配光を制御するように構成される。
【００３０】
取付部材２３は、例えば、ポリカーボネート樹脂などの合成樹脂材料によって、概ね円環状に形成されることが好ましい（図７参照）。取付部材２３は、枠部２３０、一対の引掛部２３２、固定部２３３などを有することが好ましい。枠部２３０は、円環状の主部２３００と、主部２３００の外周縁から全周に渡って下向きに突出する円筒形状の周壁部２３０１とを有する。主部２３００は、円形の窓孔２３１を有する。一対の引掛部２３２は、周壁部２３０１の左前及び右前の下面から下向きに突出するように周壁部２３０１と一体に形成されることが好ましい。引掛部２３２は、周壁部２３０１から下向きに突出する直方体状の突片２３２０と、突片２３２０から周壁部２３０１と並行して突出する直方体状の引掛片２３２１とを有する（図７及び図８Ｄ参照）。つまり、引掛部２３２は、全体としてＬ字状に形成されることが好ましい。固定部２３３は、概ね台形状に形成されることが好ましい。固定部２３３は、枠部２３０の周壁部２３０１における後面から後方へ突出するように、周壁部２３０１と一体に形成されることが好ましい（図７及び図８Ａ参照）。なお、固定部２３３は、中央に円形のねじ挿通孔２３３０が設けられることが好ましい。
【００３１】
放熱部材２１は、アルミ又はアルミ合金製の板材で構成され、ＬＥＤモジュール２０と熱結合される結合部２１０と、本体１に固定される固定部２１１とを有することが好ましい（図６、図７及び図８Ｅ参照）。さらに、放熱部材２１は、結合部２１０と固定部２１１を繋ぐ連結部２１２を有することが好ましい。結合部２１０は、概ね円盤状に形成されることが好ましい。固定部２１１は、概ね台形状に形成されることが好ましい。連結部２１２は、矩形に形成されることが好ましい。ただし、固定部２１１は、結合部２１０及び連結部２１２のいずれよりも左右方向の幅寸法を大きくするように構成されることが好ましい。
【００３２】
結合部２１０の前端における左右両側には、それぞれ被引掛部２１３が設けられる。被引掛部２１３は、取付部材２３の引掛部２３２を放熱部材２１の厚み方向（上下方向）に通過させ、かつ、引掛部２３２を厚み方向と交差する方向（左右方向及び前後方向）に移動可能に構成されることが好ましい。被引掛部２１３は、放熱部材２１（の結合部２１０）の周縁部分に形成される切欠２１３０を有することが好ましい。切欠２１３０は、概ね矩形に形成されることが好ましい。被引掛部２１３は、切欠２１３０と、切欠２１３０の隣（左隣）に位置する部位（被引掛部位２１３１）とで構成されることが好ましい。ただし、被引掛部２１３は、切欠２１３０の代わりに、放熱部材２１を厚み方向に貫通する孔を有してもよい。この場合、被引掛部２１３は、孔と、孔の隣に位置する部位（被引掛部位）とで構成される。
【００３３】
固定部２１１には、２つの丸孔２１１０と、１つのねじ孔（第１ねじ孔２１１１）とが設けられる（図７及び図８Ｅ参照）。２つの丸孔２１１０は、左右方向に一列に並ぶように設けられることが好ましい。第１ねじ孔２１１１は、固定部２１１の右端近くに設けられることが好ましい。また、連結部２１２には、矩形の挿通孔２１２０と、ねじ孔（第２ねじ孔２１２１）とが設けられることが好ましい（図７及び図８Ｅ参照）。挿通孔２１２０は、連結部２１２のほぼ中央に設けられ、第２ねじ孔２１２１は、挿通孔２１２０の左後方の位置に設けられることが好ましい。
【００３４】
次に、光源ユニット２の組立手順を説明する。ただし、プラグコネクタ２６は、既に２本の電線を介してＬＥＤモジュール２０と電気的に接続されている。
【００３５】
まず、組立作業を行う作業者は、放熱部材２１の結合部２１０の上面に熱伝導シート２５を敷き、その熱伝導シート２５の上に、ＬＥＤチップの実装面を上にしてＬＥＤモジュール２０を載せる。そして、作業者は、プラグコネクタ２６及び２本の電線を孔２４０に通し、かつ、コネクタ保持部２４３を連結部２１２の挿通孔２１２０に挿通しつつ、熱伝導シート２５及びＬＥＤモジュール２０の上から押さえ部材２４を被せる。このとき、作業者は、孔２４０の四隅をＬＥＤモジュール２０の実装基板２００の四隅に位置合わせし、一対の押さえ突起２４２でＬＥＤモジュール２０（の実装基板２００）の２つの角を上から押さえる（図９参照）。さらに、作業者は、押さえ部材２４のコネクタ保持部２４３にプラグコネクタ２６を上から差し込むことにより、コネクタ保持部２４３にプラグコネクタ２６を保持させる。また、作業者は、プラグコネクタ２６とＬＥＤモジュール２０を電気的に接続する２本の電線を、押さえ部材２４の凹所２４１内に収める。
【００３６】
続いて、作業者は、取付部材２３の一対の引掛部２３２を、放熱部材２１の被引掛部２１３（の切欠２１３０）に上から挿通した後、取付部材２３を上から見て時計回りの向きに回転させる。すると、引掛部２３２の引掛片２３２１と枠部２３０（の周壁部２３０１）との間の隙間に、被引掛部２１３（の被引掛部位２１３１）が挿入されるので、引掛部２３２が被引掛部２１３に引っ掛けられる（図６及び図８Ａ参照）。そして、図９に示すように、枠部２３０の主部２３００がレンズブロック２２の外鍔部２２１の上面に被さるため、取付部材２３と放熱部材２１との間で、押さえ部材２４及びレンズブロック２２が挟み込まれて保持される。
【００３７】
最後に、作業者は、取付部材２３の固定部２３３のねじ挿通孔２３３０に上から挿通したねじを、放熱部材２１の連結部２１２に設けられている第２ねじ孔２１２１にねじ込む。その結果、取付部材２３は、上から見て反時計回りの向きに回転不能となり、放熱部材２１から脱落しなくなる。ただし、取付部材２３の固定部２３３と、放熱部材２１の連結部２１２との固定はねじ止めに限定されない。例えば、固定部２３３に設けられる突起が連結部２１２に設けられる孔に挿通され、かつ、熱かしめされることで固定部２３３と連結部２１２が固定されてもよい。以上のようにして、光源ユニット２の組立が完了する（図６参照）。
【００３８】
次に、非常用照明装置Ｘ１の組立手順を説明する。ただし、一対の支持具６は、既に本体１に取り付けられている。
【００３９】
まず、組立作業を行う作業者は、本体１内に点灯ユニット４を収容し、本体１の底板１１の固定片１１０に点灯ユニット４の筐体４１をねじ止めして固定する（図１参照）。それから、作業者は、既に組立作業が完了している光源ユニット２を点灯ユニット４の筐体４１に取り付ける。ここで、筐体４１の下面には、放熱部材２１の２つの丸孔２１１０にそれぞれ個別に挿通される２つの突起４１１が下向きに突設されている。つまり、作業者は、放熱部材２１の固定部２１１に設けられている２つの丸孔２１１０に２つの突起４１１を個別に挿通させて位置決めするようにして、固定部２１１を筐体４１の下面に載せる。ただし、作業者は、本体１の被固定部１２が放熱部材２１の下になるように、被固定部１２と筐体４１の下面との間に固定部２１１を挿入する（図３参照）。それから、作業者は、被固定部１２のねじ挿通孔１２０に挿通したねじを、放熱部材２１の固定部２１１に設けられている第１ねじ孔２１１１にねじ込むことにより、光源ユニット２を点灯ユニット４の筐体４１に取り付ける（図３参照）。このとき、光源ユニット２のプラグコネクタ２６は、筐体４１の中央の開口部４１０Ｂの奥に配置されているレセプタクルコネクタ４０８と電気的かつ機械的に接続される。なお、固定部２１１には、丸孔２１１０の代わりに、突起４１１が嵌まる凹部が設けられても構わない。
【００４０】
続いて、作業者は、本体１内に電池ユニット３を収容する。電池ユニット３のコネクタ部３２は、電池ユニット３が本体１内に収容される際に、点灯ユニット４の筐体４１に設けられている開口部４１０Ａを通して、点灯ユニット４の受け側のコネクタと電気的かつ機械的に接続される。ここで、筐体４１の右側面の後端寄りの部位には、凹部４１２が設けられている（図４参照）。そして、電池ユニット３の抜け止め部３３の突起３３１が筐体４１の凹部４１２に引っ掛かることにより、電池ユニット３が点灯ユニット４の筐体４１に取り付けられる。なお、作業者は、抜け止め部３３のばね片３３０を指で摘まんで撓ませ、突起３３１と凹部４１２の引っ掛かりを解除することにより、光源ユニット２が本体１に固定されている状態で本体１から電池ユニット３を引き抜いて取り外すことができる。
【００４１】
最後に、作業者は、一対の取付ばね７を本体１の内周面の前側及び後側にそれぞれ一対ずつ設けられる挿通溝１３に挿通することにより、本体１の下面を閉塞するようにカバー５を本体１に保持させる（図２Ｃ及び図７参照）。以上のようにして、非常用照明装置Ｘ１の組立が完了する。
【００４２】
上述のように非常用照明装置Ｘ１では、光源ユニット２が有する放熱部材２１によって、ＬＥＤモジュール２０の放熱を促進することができる。しかも、放熱部材２１の固定部２１１が固定される被固定部１２は、本体１の下から見て電池ケース３１と重ならない場所、つまり、電池ユニット３が抜き差しされる際に接触しない場所に設けられている。その結果、非常用照明装置Ｘ１は、光源ユニット２が本体１に固定された状態のままで、電池ユニット３の取り外し及び取り付けが可能である。したがって、非常用照明装置Ｘ１は、電池ユニット３の交換時の作業性を低下させずに放熱性の向上を図ることができる。
【００４３】
非常用照明装置Ｘ１は上述のように、本体１と、光源ユニット２と、電池ユニット３と、点灯ユニット４とを備える。本体１は、前面（下面）が開口した有底筒状に形成される。光源ユニット２は、光源モジュール（ＬＥＤモジュール２０）と、ＬＥＤモジュール２０と熱的に結合される放熱部材２１とを有する。電池ユニット３は、電池３０と、電池３０を収容する電池ケース３１とを有する。点灯ユニット４は、電池３０から供給される電力でＬＥＤモジュール２０を点灯させる点灯装置４０と、点灯装置４０を収容する筐体４１とを有する。放熱部材２１は、ＬＥＤモジュール２０と熱結合される結合部２１０と、本体１に固定される固定部２１１とを有する。筐体４１は、本体１内に収容された状態で本体１に固定されるように構成される。電池ケース３１は、（本体１下面の）開口を通して本体１内に抜き差し可能に挿入され、かつ、本体１内に収容された状態で筐体４１に結合して抜け止めされる抜け止め部３３を有する。本体１は、放熱部材２１の固定部２１１が固定される被固定部１２を有している。被固定部１２は、電池ケース３１が本体１内に抜き差しされる際に電池ケース３１と接触しない場所に設けられている。
【００４４】
非常用照明装置Ｘ１が上述のように構成されれば、放熱部材２１によってＬＥＤモジュール２０の放熱を促進することができ、かつ、光源ユニット２が本体１に固定されたままで電池ユニット３の取り外し及び取り付けが可能となる。したがって、非常用照明装置Ｘ１は、電池ユニット３の交換時の作業性を低下させずに放熱性の向上を図ることができる。
【００４５】
また、非常用照明装置Ｘ１において、本体１及び被固定部１２が金属材料で構成されており、被固定部１２に（放熱部材２１の）固定部２１１が固定されることで放熱部材２１と本体１とが熱的に結合されるように構成されることが好ましい。
【００４６】
非常用照明装置Ｘ１が上述のように構成されれば、金属材料製の本体１からもＬＥＤモジュール２０の熱を放熱させることができ、更なる放熱性の向上を図ることができる。
【００４７】
さらに、非常用照明装置Ｘ１において、被固定部１２は、本体１の前端（下端）又は前端（下端）の近傍から内側に突出し、かつ、筐体４１の前面（下面）に配置されていることが好ましい。
【００４８】
非常用照明装置Ｘ１が上述のように構成されれば、被固定部１２に対する固定部２１１の固定作業が本体１の前面側から実施可能となり、組立の作業性の向上が図られる。
【００４９】
また、非常用照明装置Ｘ１において、筐体４１の前面（下面）に、固定部２１１を位置決めする位置決め構造が設けられることが好ましい。
【００５０】
非常用照明装置Ｘ１が上述のように構成されれば、位置決め構造によって光源ユニット２の固定作業の作業性の更なる向上を図ることができる。
【００５１】
またさらに、非常用照明装置Ｘ１において、位置決め構造は、１つ又は複数の突起４１１と、突起４１１が嵌まる１つ又は複数の凹部又は孔（丸孔２１１０）とで構成されることが好ましい。
【００５２】
非常用照明装置Ｘ１が上述のように構成されれば、突起４１１と凹部又は孔（丸孔２１１０）の単純な構成で位置決め構造が実現されるので、位置決め構造が設けられることによる製造コストの上昇を抑えることができる。
【００５３】
（実施形態２）
本発明の実施形態２に係る非常用照明装置Ｘ２（以下、非常用照明装置Ｘ２と略す）は、天井に直付けされる直付け型の非常灯である。ただし、非常用照明装置Ｘ２は、非常用照明装置Ｘ１とほぼ共通の構成を有している。したがって、非常用照明装置Ｘ２の構成要素のうち、非常用照明装置Ｘ１の構成要素と共通の機能を有する構成要素には、非常用照明装置Ｘ１の構成要素と形状や寸法に多少の相違があっても、同一の符号を付して説明を省略する。
【００５４】
非常用照明装置Ｘ２は、図１０及び図１１に示すように、円盤状の本体１と、円錐台形状のカバー５とを有する。本体１は、天井にねじ止めされて直付けされる。点灯ユニット４は、固定金具１４によって本体１に固定される。固定金具１４は、帯状の金属板の長手方向の両端部分が互いに異なる向きに曲げ起こされるように構成される。そして、固定金具１４は、一方の端部１４０で本体１にねじ止めされ、他方の端部１４１が光源ユニット２の放熱部材２１（の固定部２１１）とともに点灯ユニット４の筐体４１にねじ止めされる。このようにして点灯ユニット４は固定金具１４によって本体１に固定される（図１１参照）。また、本体１には、２つの取付ばね７が取り付けられる（図１１参照）。一方、カバー５の内周面には、２つの取付ばね７がそれぞれ個別に挿入される挿通溝が設けられている。つまり、カバー５は、これら２つの取付ばね７が挿通溝に挿通されることで本体１に着脱可能に取り付けられる（図１０参照）。
【００５５】
上述のように直付け型の非常用照明装置Ｘ２においても、光源ユニット２が有する放熱部材２１によって、ＬＥＤモジュール２０の放熱を促進することができる。また、光源ユニット２を本体１に固定している固定金具１４が、本体１の下から見て電池ケース３１と重ならない場所、つまり、電池ユニット３が抜き差しされる際に接触しない場所に設けられている。その結果、非常用照明装置Ｘ２は、光源ユニット２が本体１に固定された状態のままで、電池ユニット３の取り外し及び取り付けが可能である。したがって、非常用照明装置Ｘ２は、電池ユニット３の交換時の作業性を低下させずに放熱性の向上を図ることができる。
【００５６】
（実施形態３）
本発明の実施形態３に係る非常用照明装置Ｘ３（以下、非常用照明装置Ｘ３と略す）は、実施形態１に係る非常用照明装置Ｘ１と同じく天井埋込型の非常灯である。ただし、非常用照明装置Ｘ３は、非常用照明装置Ｘ１とほぼ共通の構成を有している。したがって、非常用照明装置Ｘ３の構成要素のうち、非常用照明装置Ｘ１の構成要素と共通の機能を有する構成要素には、非常用照明装置Ｘ１の構成要素と形状や寸法に多少の相違があっても、同一の符号を付して説明を省略する。なお、以下の説明では、図１２において、前後、左右及び上下の各方向を規定する。
【００５７】
非常用照明装置Ｘ３は、図１２及び図１３に示すように、光源ユニット２の放熱部材２７の形状が非常用照明装置Ｘ１の放熱部材２１の形状と大きく異なっている。放熱部材２７は、結合部２７０、固定部２７１及び突板部２７２を有している。結合部２７０は、左右方向を長手方向とする平板状に形成されている。結合部２７０の下面における左右方向の中央から右寄りの位置に、ＬＥＤモジュールやレンズブロック２２が取付部材２３によって取り付けられている。また、結合部２７０は、２つの丸孔２７００と、１つの角孔２７０１とを有している。２つの丸孔２７００は、点灯ユニット４の筐体４１の下面に設けられている、２つの突起４１１がそれぞれ１つずつ挿入される（図１３参照）。角孔２７０１は、筐体４１の下面から下向きに突出する引掛部４１３が挿通される。角孔２７０１に挿通された引掛部４１３は、結合部２７０の下面における角孔２７０１の縁に引っ掛かる（図１３参照）。固定部２７１は、概ね矩形の平板状であって、結合部２７０の左側の縁から上向きに起立するように結合部２７０と一体に形成されている。また、固定部２７１は、前寄りの上端の近くにねじ孔２７１０が設けられている。さらに、固定部２７１は、前後方向の中央に、上端が開放された矩形の縦溝２７１１が形成されている。突板部２７２は、左右方向から見て概ねＬ字形状に形成されている。突板部２７２は、結合部２７０の右側の縁から上向きに起立するように結合部２７０と一体に形成されている。なお、結合部２７０、固定部２７１及び突板部２７２は、たとえば、アルミ又はアルミ合金製の板材によって一体に形成されることが好ましい。
【００５８】
本体１は、実施形態１に係る非常用照明装置Ｘ１と異なり、被固定部１２が設けられていない。その代わり、本体１は、支持具６が取り付けられている左側の平坦壁１５にねじ挿通孔１５０が設けられている。放熱部材２７は、本体１（の左側の平坦壁１５）と点灯ユニット４の間に固定部２７１が差し込まれ、電池ケース３１の内側（左側）に突板部２７２が配置されるようにして本体１内に収容される（図１２及び図１３参照）。そして、本体１の外からねじ挿通孔１５０にねじ１５１が挿通される。このねじ１５１は、ねじ挿通孔１５０に挿通された後、放熱部材２７の固定部２７１のねじ孔２７１０にねじ込まれる。つまり、放熱部材２７は、固定部２７１が本体１にねじ止めされることにより、本体１と熱的及び機械的に結合する。なお、非常用照明装置Ｘ３では、本体１の平坦壁１５が被固定部となる。そして、被固定部（平坦壁１５）は、本体１を下から見たときに、電池ユニット３の電池ケース３１と重ならない場所に位置している。
【００５９】
上述のように非常用照明装置Ｘ３は、光源ユニット２が有する放熱部材２７によって、ＬＥＤモジュールの放熱を促進することができる。しかも、放熱部材２７の固定部２７１が固定される被固定部（本体１の平坦壁１５）は、本体１の下から見て電池ケース３１と重ならない場所に設けられている。その結果、非常用照明装置Ｘ３は、光源ユニット２が本体１に固定された状態のままで、電池ユニット３の取り外し及び取り付けが可能である。したがって、非常用照明装置Ｘ３は、電池ユニット３の交換時の作業性を低下させずに放熱性の向上を図ることができる。しかも、非常用照明装置Ｘ１の被固定部１２と異なり、非常用照明装置Ｘ３の被固定部は、点灯ユニット４が本体１内に収容される際に邪魔にならない。その結果、非常用照明装置Ｘ３は、非常用照明装置Ｘ１と比較して、点灯ユニット４を本体１内に収容する際の作業性の向上を図ることができる。
【００６０】
非常用照明装置Ｘ３において、被固定部は、本体１の側面（本体１の平坦壁１５）に設けられていることが好ましい。
【００６１】
非常用照明装置Ｘ３が上述のように構成されれば、点灯ユニット４を本体１内に収容する際の作業性の向上を図ることができる。
【００６２】
（実施形態４）
本発明の実施形態４に係る非常用照明装置Ｘ４（以下、非常用照明装置Ｘ４と略す）は、実施形態２に係る非常用照明装置Ｘ２と同じく、天井に直付けされる直付け型の非常灯である。ただし、非常用照明装置Ｘ４は、非常用照明装置Ｘ２及び実施形態３に係る非常用照明装置Ｘ３とほぼ共通の構成を有している。したがって、非常用照明装置Ｘ４の構成要素のうち、非常用照明装置Ｘ２又はＸ３の構成要素と共通の機能を有する構成要素には、非常用照明装置Ｘ２及びＸ３の構成要素と形状や寸法に多少の相違があっても、同一の符号を付して説明を省略する。
【００６３】
非常用照明装置Ｘ４は、図１４及び図１５に示すように、円盤状の本体１と、円錐台形状のカバー５とを有する。本体１は、天井にねじ止めされて直付けされる。点灯ユニット４は、固定金具１４によって本体１に固定される。
【００６４】
図１５及び図１６に示すように、点灯ユニット４の筐体４１に端子台４３が保持されている。端子台４３は、筐体４１の底面、すなわち、本体１内において、電池ユニット３と対向する面（図１５及び図１６における左側面）に保持されている。端子台４３は、２本の電線（被覆電線）４４によって点灯ユニット４と電気的に接続されている（図１６参照）。これら２本の電線４４により、外部電源Ｗから点灯ユニット４へ電力が供給される。
【００６５】
ここで、図１５に示すように、本体１内には、点灯ユニット４の筐体４１と、放熱部材２７（の結合部２７０及び突板部２７２）と、電池ユニット３の電池ケース３１とに囲まれた空間１６が形成されている。そして、２本の電線４４は、本体１内に形成されている空間１６に配置される（図１６参照）。したがって、非常用照明装置Ｘ４は、本体１内の空間１６に電線４４が配置されているので、本体１内に生じるデッドスペース（空間１６）を配線スペースに利用することによって、本体１の小型化を図ることができる。しかも、放熱部材２７の突板部２７２が電池ケース３１と空間１６との間に配置されるため（図１５参照）、電池ユニット３が本体１から出し入れされる際に、電池ケース３１と本体１との間に電線４４が挟まれ難くなる。
【００６６】
上述のように非常用照明装置Ｘ４において、本体１内には、筐体４１と放熱部材２７と電池ケース３１に囲まれた空間１６が形成されることが好ましい。この空間１６に、電力系統（外部電源Ｗ）から点灯ユニット４に給電するための電線４４が配置されていることが好ましい。
【００６７】
非常用照明装置Ｘ４が上述のように構成されれば、本体１内に生じるデッドスペース（空間１６）を配線スペースに利用することによって、本体１の小型化を図ることができる。
【符号の説明】
【００６８】
Ｘ１、Ｘ２、Ｘ３  非常用照明装置
１  本体
２  光源ユニット
３  電池ユニット
４  点灯ユニット
１２  被固定部
１４  固定金具（被固定部）
１５  平坦壁（被固定部）
１６  空間
２０  ＬＥＤモジュール（光源モジュール）
２１  放熱部材
２７  放熱部材
３０  電池
３１  電池ケース
３３  抜け止め部
４０  点灯装置
４１  筐体
２１０  結合部
２１１  固定部
２７１  固定部
４１１  突起
２１１０、２７００  丸孔（凹部又は孔）
【図１】
0006598118.tif 000002
【図２】
0006598118.tif 000003
【図３】
0006598118.tif 000004
【図４】
0006598118.tif 000005
【図５】
0006598118.tif 000006
【図６】
0006598118.tif 000007
【図７】
0006598118.tif 000008
【図８】
0006598118.tif 000009
【図９】
0006598118.tif 000010
【図１０】
0006598118.tif 000011
【図１１】
0006598118.tif 000012
【図１２】
0006598118.tif 000013
【図１３】
0006598118.tif 000014
【図１４】
0006598118.tif 000015
【図１５】
0006598118.tif 000016
【図１６】
0006598118.tif 000017